(57)【要約】【課題】商品の転び止めが設けられた陳列棚に適用される前出し装置を提供すること。【解決手段】前出し装置（１０）は、磁性を有する陳列棚（１２）上に配置されるスタンド（１６）及び商品（Ｓ）の載置部材（１８）とを備える。スタンドはこれに設けられた永久磁石（２０）を介して陳列棚に磁気吸着される。載置部材は陳列棚上をその前後方向へ伸び、前端部、該前端部に相対する後端部及び商品が載置される前後両端部間の中間部を有する。載置部材は、その後端部において、スタンドに対する陳列棚の前後方向への移動と、スタンドに対する揺動及び該揺動に伴う載置部材の中間部の陳列棚の転び止め上への乗り上げとを許すように前記スタンドに係止される。【選択図】図１
2020127622.tif 000002
【特許請求の範囲】
【請求項１】
商品の転び止めが設けられた前部及び該前部に相対する後部を有し、また、磁性を有する陳列棚に適用される商品の前出し装置であって、
前記陳列棚上に配置されるスタンドであって該スタンドに設けられた永久磁石を介して前記陳列棚に磁気吸着されるスタンドと、
前記陳列棚上に配置され前記陳列棚の前後方向へ伸びる商品の載置部材であって前端部、該前端部に相対する後端部及び商品が載置される前後両端部間の中間部を有する載置部材とを備え、
前記載置部材は、その後端部において、前記スタンドに対する前記陳列棚の前後方向への移動と、前記スタンドに対する揺動及び該揺動に伴う前記載置部材の中間部の前記陳列棚の転び止め上への乗り上げとを許すように前記スタンドに係止される、前出し装置。
【請求項２】
さらに、前記載置部材上の商品に対する他の転び止めを備え、
前記他の転び止めは前記陳列棚上において前記スタンドに相対して配置され、また、前記他の転び止めに設けられた永久磁石を介して前記陳列棚に磁気吸着される、請求項１に記載の前出し装置。
【請求項３】
前記スタンドは上下方向へ伸びる一対の長孔を有し、
前記載置部材の中間部は一対の互いに平行な線条からなり、両線条は前記スタンドの両長孔を経てそれぞれ伸びる、請求項１又は２に記載の前出し装置。
【請求項４】
前記スタンドと前記他の転び止めとはそれぞれ上下方向へ伸びる二対の長孔を有し、
前記載置部材の中間部は前記スタンドの両長孔及び前記他の転び止めの両長孔を経てそれぞれ伸びる一対の線条からなる、請求項２に記載の前出し装置。
【請求項５】
さらに、前記載置部材の両側方に配置され前記載置部材に沿って伸びる一対の商品の仕切り板を備える、請求項１〜４のいずれか１項に記載の前出し装置。
【請求項６】
商品の転び止めが設けられた前部と該前部に相対する後部とを有する陳列棚に適用される商品の前出し装置であって、
前記陳列棚上に配置され前記陳列棚の前後方向へ伸びる支持部材であって前記陳列棚の転び止めに引掛けられる引掛け部を有する支持部材と、
前記支持部材に該支持部材の伸長方向へ移動可能に支持されたスタンドと、
前記陳列棚上に配置され前記陳列棚の前後方向へ伸びる商品の載置部材であって前端部、該前端部に相対する後端部及び商品が載置される前後両端部間の中間部を有する載置部材とを備え、
前記載置部材は、その後端部において、前記スタンドに対する前記陳列棚の前後方向への移動と、前記スタンドに対する揺動及び該揺動に伴う前記載置部材の中間部の前記陳列棚の転び止め上への乗り上げとを許すように前記スタンドに係止される、前出し装置。
【請求項７】
さらに、前記載置部材上の商品に対する他の転び止めを備え、
前記他の転び止めは前記支持部材の引掛け部と一体に形成されている、請求項６に記載の前出し装置。
【請求項８】
前記スタンドは一対の切欠きを有し、
前記載置部材の中間部は前記スタンドの両切欠きを経てそれぞれ伸びる一対の互いに平行な線条からなる、請求項６又は７に記載の前出し装置。
【請求項９】
前記スタンド及び前記他の転び止めはそれぞれ一対の切欠き及び上下方向へ伸びる一対の長孔を有し、
前記載置部材の中間部は前記スタンドの両切欠き及び前記他の転び止めの両長孔を経てそれぞれ伸びる一対の互いに平行な線条からなる、請求項７に記載の前出し装置。
【請求項１０】
さらに、前記載置部材の両側方に配置され前記載置部材に沿って伸びる一対の商品の仕切り板を備える、請求項６〜９のいずれか１項に記載の前出し装置。
【発明の詳細な説明】
【技術分野】
【０００１】
本発明は、スーパーマーケットやコンビニエンスストアのような店舗に設置される商品の陳列棚、特に陳列棚の前部に商品の転び止めが設けられたものに適用される商品の前出し装置に関する。
【背景技術】
【０００２】
商品の陳列棚のなかには、陳列棚の前部（購買客から見て手前の側に位置する部分）からの商品の滑り落ち、転がり落ち等を防止するために、陳列棚の前部に商品の転び止めが設けられているものがある。
【０００３】
ところで、陳列棚の上にその前部からその後部（購買客から見て奥側に位置する部分）に向けて並べ置かれた複数の商品は、陳列棚の前部の側に位置するものからなくなり始め、その数が次第に減っていくのが通常である。このため、店舗においては、陳列棚の後部の側に残る複数の商品を前部の側へ移動すること（商品の前出し）が行われている。
【０００４】
従来、このような商品の前出しに供される装置が提案されている。しかし、従来の前出し装置は転び止めが設けられていない陳列棚に適用されるものであり、転び止めが設けられた陳列棚への使用に適さない。また、商品の転び止めが設けられた陳列棚への前出し装置の適用例はない。
【先行技術文献】
【特許文献】
【０００５】
【特許文献１】特開平１０−８５０８９号公報
【発明の概要】
【発明が解決しようとする課題】
【０００６】
本発明は、前記従来の実情に鑑み、商品の転び止めが設けられた陳列棚に適用される前出し装置を提供する。
【課題を解決するための手段】
【０００７】
本発明の一の実施の形態に係る商品の前出し装置は、磁性を有する陳列棚に適用される。前記陳列棚は、商品の転び止めが設けられた前部と該前部に相対する後部とを有する。
【０００８】
本発明の一の実施の形態に係る前出し装置は、前記陳列棚上に配置されるスタンド及び商品の載置部材とを備える。前記スタンドはこれに設けられた永久磁石を介して前記陳列棚に磁気吸着される。また、前記載置部材は前記陳列棚上をその前後方向へ伸び、前端部、該前端部に相対する後端部及び商品が載置される前後両端部間の中間部を有する。また、前記載置部材は、その後端部において、前記スタンドに対する前記陳列棚の前後方向への移動と、前記スタンドに対する揺動及び該揺動に伴う前記載置部材の中間部の前記陳列棚の転び止め上への乗り上げとを許すように前記スタンドに係止される。
【０００９】
この前出し装置にあっては、前記陳列棚上への商品の陳列のために、前記載置部材の中間部上に複数の商品が載置され、これらの商品は前記スタンドと前記陳列棚の転び止めとの間に並べ置かれる。前記載置部材上の複数の商品は、購買客によって前記陳列棚の手前の側から順次に取り出され、前記陳列棚の奥の側に残っている状態にあるとき、商品の前出しが行われる。
【００１０】
前記商品の前出しは、次のようにして行うことができる。まず、前記載置部材の前端部を前記陳列棚の転び止めの上方の高さ位置に置くために、前記載置部材を前記スタンドに対して揺動させ、傾斜した状態におく。次に、前記前端部を介して前記載置部材に引張力を及ぼす。これにより、前記載置部材が前記陳列棚の前方へ移動し、その中間部が前記陳列棚の転び止めの上に乗り上げ、これを横切る。前記載置部材の前方移動及び揺動に伴い、前記スタンドはこれに係止する前記載置部材の後端部を介して、また、前記磁気吸着力に抗して、前記陳列棚上をその前方に向けて滑動する。これにより、前記スタンド共に前記載置部材上の商品が前記転び止めに向けて移動され、商品の前出しが行われる。
【００１１】
前記商品の前出しを終了した後は、前記スタンドに対して、前記載置部材をその前端部を介して前記陳列棚の後部に向けて後方移動させることにより、前記転び止め上に乗り上げた状態にある前記載置部材の中間部を前記陳列棚上に戻すことができる。
【００１２】
前記前出し装置は、さらに、前記載置部材上の商品に対する他の転び止めを備えるものとすることができる。前記他の転び止めは前記陳列棚上において前記スタンドに相対して配置され、また、永久磁石を介して前記陳列棚に磁気吸着される。これによれば、前記商品の前出しの際、前記スタンドと共に陳列棚の転び止めの上方位置に向けて移動される商品を前記他の転び止めにおいて止めることができる。
【００１３】
前記スタンドが上下方向へ伸びる一対の長孔を有し、かつ、前記載置部材の中間部が前記スタンドの両長孔を経てそれぞれ伸びる一対の互いに平行な線条からなるものとすることができる。これによれば、前記スタンドの両長孔は両線条の前後方向への移動及び両長孔の伸長方向への移動を許す。前記載置部材は、前記スタンドに対して前記載置部材が前後方向への移動及び揺動が可能であるように、前記スタンドに保持される。
【００１４】
前記他の転び止めを備える前出し装置にあっては、前記スタンドと前記他の転び止めとがそれぞれ上下方向へ伸びる二対の長孔を有し、また、前記載置部材の中間部が前記スタンドの両長孔及び前記他の転び止めの両長孔を経てそれぞれ伸びる一対の線条からなるものとすることができる。これによれば、前記スタンド及び前記他の転び止めに対する前記載置部材の前後方向移動及び揺動を可能とすることができる。
【００１５】
前記前出し装置は、さらに、前記載置部材の両側方に配置され前記載置部材に沿って伸びる一対の商品の仕切り板を備えるものとすることができる。これによれば、前記商品の前出しに際して、前記載置部上に載置された商品が両仕切り板間を整然と移動するようにすることができる。
【００１６】
本発明の他の実施の形態に係る商品の前出し装置は、好ましくは、磁性を有しない陳列棚である非磁性の陳列棚に適用される。この陳列棚も、同様に、商品の転び止めが設けられた前部と該前部に相対する後部とを有する。
【００１７】
他の実施の形態に係る商品の前出し装置は、前記陳列棚上に配置され前記陳列棚の前後方向へ伸びる支持部材と、スタンドと、商品の載置部材とを備える。前記支持部材は前記陳列棚の転び止めに引掛けられる引掛け部を有する。前記スタンドは前記支持部材に支持され、該支持部材の伸長方向へ移動可能である。また、前記載置部材は前記陳列棚上に配置され前記陳列棚の前後方向へ伸び、前端部、該前端部に相対する後端部及び商品が載置される前後両端部間の中間部を有する。また、前記載置部材は、その後端部において、前記スタンドに対する前記陳列棚の前後方向への移動と、前記スタンドに対する揺動及び該揺動に伴う前記載置部材の中間部の前記陳列棚の転び止め上への乗り上げとを許すように前記スタンドに係止される。
【００１８】
この前出し装置にあっては、前記支持部材をその引掛け部において前記陳列棚の転び止めに引掛けることにより、前記支持部材に支持されたスタンドを前記陳列棚上に留め置き、また、前記支持部材上を前記陳列棚の前後方向へ移動させることができる。この前出し装置においても、同様に、前記スタンドに対する前記載置部材の前方移動及び揺動を行うことにより商品の前出しを行うことができる。
【００１９】
前記他の実施の形態に係る前出し装置は、前記一の実施の形態に係る前出し装置におけると同様、さらに、前記載置部材上の商品に対する他の転び止めを備えるものとすることができる。この他の実施形態においては、前記他の転び止めは前記支持部材の引掛け部と一体に形成されている。
【００２０】
前記スタンドは一対の切欠きを有するものとすることができる。ここにおいて、前記載置部材の中間部は前記スタンドの両切欠きを経てそれぞれ伸びる一対の互いに平行な線条からなる。
【００２１】
前記他の転び止めを備える前記他の実施形態の前出し装置にあっては、前記スタンド及び前記他の転び止めがそれぞれ一対の切欠き及び上下方向へ伸びる一対の長孔を有し、前記載置部材の中間部が前記スタンドの両切欠き及び前記他の転び止めの両長孔を経てそれぞれ伸びる一対の互いに平行な線条からなるものとすることができる。
【００２２】
前記前出し装置は、前記一の実施形態におけると同様に、前記載置部材の両側方に配置され前記載置部材に沿って伸びる一対の商品の仕切り板を備えるものとすることができる。
【図面の簡単な説明】
【００２３】
【図１】本発明の一の実施の形態に係る商品の前出し装置の斜視図である。
【図２】図１に示す前出し装置の分解斜視図である。
【図３】商品の陳列棚上に配置された図１に記載の前出し装置の斜視図である。
【図４】商品の前出しを行うために操作状態にある図１に記載の前出し装置の斜視図である。
【図５】商品の前出し操作後における図１に記載の前出し装置の斜視図である。
【図６】本発明の他の実施の形態に係る商品の前出し装置の斜視図である。
【図７】図６に示す前出し装置の分解斜視図である。
【図８】図６に示す前出し装置の横断面図である。
【図９】商品の陳列棚上に配置された図６に記載の前出し装置の斜視図である。
【図１０】商品の前出しを行うために操作状態にある図６に記載の前出し装置の斜視図である。
【図１１】商品の前出し操作後における図６に記載の前出し装置の斜視図である。
【発明を実施するための形態】
【００２４】
図１及び図２を参照すると、本発明の一の実施の形態に係る商品の前出し装置が全体に符号１０で示されている。
【００２５】
前出し装置１０は、スーパーマーケットやコンビニエンスストアに設置される商品の陳列棚１２（図３〜図５参照）に適用される。この陳列棚１２は例えば鋼鉄のような金属材料からなり、磁性を有する。陳列棚１２は矩形の平面形状を有し、前記矩形の長辺の伸長方向すなわち陳列棚１２の長手方向へ伸び互いに相対する両側部を有する。両側部は、それぞれ、陳列棚１２上に陳列される商品Ｓの購買者から見て手前の側に位置する前部１２ａ及び奥の側に位置する後部１２ｂをなす。
【００２６】
陳列棚１２の前部１２ａには陳列棚１２の長手方向へ伸びる商品の転び止め１４が設けられている。図示の転び止め１４は細長い板体からなり、陳列棚１２の前部１２ａに設けられ陳列棚１２の長手方向へ伸びる溝１５（図３）に差し込まれ、陳列棚１２からその上方へ突出している。転び止め１４は、陳列棚１２上に陳列される商品Ｓが陳列棚１２の前部１２ａからの滑り落ちや転がり落ちを防止するために設けられている。
【００２７】
前出し装置１０は、陳列棚１２上に配置され、転び止め１４と後部１２ｂとの間に位置するスタンド１６と、陳列棚１２上にその転び止め１４と後部１２ｂとの間に配置され、陳列棚１２の前後方向すなわちその前部１２ａ及び後部１２ｂの一方から他方に向けて伸びる商品の載置部材１８とを備える。
【００２８】
スタンド１６は、これを構成する後記底板部１６ａに埋め込まれた少なくとも１つの永久磁石（図示の例では３つの円板状の永久磁石）２０を介して、陳列棚１２に磁気吸着され、これにより陳列棚１２に解除可能に固定される。また、載置部材１８は、前端部１８ａ、該前端部に相対する後端部１８ｂ及び商品Ｓ（図３）が載置される前後両端部１８ａ、１８ｂ間の中間部１８ｃを有する。載置部材１８は、その後端部１８ｂにおいて、スタンド１６に対する陳列棚１２の前後方向への移動と、スタンド１６に対する揺動及び該揺動に伴う載置部材の中間部１８ｃの陳列棚の転び止め１４上への乗り上げとを許すようにスタンド１６に係止される。
【００２９】
図示のスタンド１６は全体にＴ形を呈する２つの板部からなる。前記２つの板部は、陳列棚１２に接する矩形状の底板部１６ａと、底板部１６ａに連なる矩形状の直立板部１６ｂとからなる。スタンド１６は、さらに、スタンド１６の底板部１６ａに設けられた突出部１６ｃを有する。突出部１６ｃは直立板部１６ｂに相対している。スタンド１６は、直立板部１６ｂと突出部１６ｃとがそれぞれ陳列棚１２の後部１２ｂの側と前部１２ａの側とに位置するように置かれる。なお、突出部１６ｃは、直立板部１６ｂとの間に複数の商品Ｓが存するとき、これらの商品Ｓを直立板部１６ｂと共同して保持する働きをなす。
【００３０】
図示の例においては、スタンド１６の直立板部１６ｂに、互いに間隔をおいて、一対の上下方向へ伸びる長孔２２が設けられている。他方、図示の商品の載置部材１８は、全体にコ字形を呈するように折り曲げられた金属製の線材からなる。ここにおいて、載置部材１８の後端部が前記線材の両端部であって上方へ折り曲げられた両端部からなる。また、中間部１８ｃは前記線材の両端部にそれぞれ連なる一対の互いに平行な線条からなる。
【００３１】
載置部材１８は、その中間部１８ｃを構成する両線条がスタンド１６の２つの長孔２２を経てそれぞれ伸び、後端部１８ｂがスタンド１６の直立板部１６ｂにその後方において係止している（図３）。スタンド１６の両長孔２２は、前記両線条の陳列棚１２の前後方向への移動を許し、また、両長孔２２の長手方向への移動を許す。両長孔２２は、前記両線条の両長孔２２の長手方向への移動により、載置部材１８がスタンド１６に対して揺動し、該揺動に伴なって中間部１８ｃが傾斜し、転び止め１４上への乗り上げることを可能とする長さ寸法を有する。
【００３２】
商品Ｓの前出しは、次のようにして行うことができる。まず、載置部材１８の前端部１８ａを手指で摘んでこれを持ち上げる。持ち上げは、前端部１８ａが陳列棚１２の転び止め１４を超える高さ位置に達するように行う。これにより、中間部１８ｃを構成する前記２つの線条がそれぞれスタンド１６の両長孔２２をその長手方向へ移動し、載置部材１８がスタンド１６に対して揺動し、中間部１８ｃが傾斜した状態におかれる。
【００３３】
次に、前端部１８ａに引張力を及ぼし、載置部材１８を陳列棚１２の前方へ移動させる。その結果、中間部１８ｃが陳列棚１２の転び止め１４の上に乗り上げ、これを横切る（図４）。載置部材１８の前方移動に伴い、スタンド１６が該スタンドに係止する載置部材の後端部１８ｂを介して前記引張力を受け、前記磁気吸着力に抗して、陳列棚１２上をその前方に向けて滑動する。このとき、スタンド１６と共に、中間部１８ｃ上の商品Ｓが転び止め１４に向けて移動する。これにより、商品の前出しが行われる。
【００３４】
前記商品の前出しを終了した後は、スタンド１６に対して、前端部１８ａを介して載置部材１８の中間部１８ｃを陳列棚１２の後部１２ｂに向けて移動させる。その結果、転び止め１４上に乗り上げた状態にあった中間部１８ｃが陳列棚１２上に移る（図１１）。また、スタンド１６を載置部材１８に対して支持部材４２に沿って陳列棚１２の後部１２ｂに向けて滑動させることにより、スタンド１６の移動により生じた空間、すなわち中間部１８ｃの上方空間に新たな複数の商品Ｓを補充することができる。
【００３５】
前出し装置４０も、また、好ましくは、載置部材１８の中間部１８ｃ上の商品Ｓに対して転び止めの作用をなす他の転び止め２４を備えるものとすることができる。他の転び止め２４は陳列棚１２上においてスタンド１６に相対して配置される。図示の他の転び止め２４は、全体にＬ形を呈し、陳列棚１２上に接する底板部２４ａと、該底板部から立ち上がる直立板部２４ｂとからなる。他の転び止め２４は、スタンド１６におけると同様に、底板部２４ａに埋め込まれた少なくとも１つの永久磁石（図示の例では３つの円板状の永久磁石）２６を介して、陳列棚１２に磁気吸着され、これにより陳列棚１２に解除可能に固定される。
【００３６】
図示の例においては、他の転び止め２４の直立板部２４ｂに、互いに間隔をおいて、一対の長孔２８が設けられている。両長孔２８は上下方向に伸びている。この他の転び止め２４を備える例にあっては、載置部材１８の中間部１８ｃを構成する前記２つの線条がそれぞれ両長孔２８を経て伸びている。両長孔２８はスタンド１６に対する載置部材１８の前記前方移動及び揺動を許す。これによれば、商品Ｓの前出しの際、載置部材１８の中間部１８ｃが陳列棚１２の転び止め１４上を前方に向けて移動されるとき、中間部１８ｃ上の商品Ｓが他の転び止め２４に当た、止められる。
【００３７】
前出し装置１０は、さらに、一対の商品の仕切り板３０を備えるものとすることができる。図示の両仕切り板３０は全体にＬ形を呈する。両仕切り板３０は、商品の載置部材１８の両側方において、陳列棚１２上に配置され載置部材１８に沿って伸びている。両仕切り板３０は、載置部材１８上の複数の商品Ｓを整列させる働きをなす。
【００３８】
前出し装置１０の載置部材１８を構成する前記線材は、図示の例に代わる他の例（図示せず）として、その両端部（後端部１８ｂ）が互いに他の一方に向けて折り曲げられ、また、両線条の相互間隔がスタンド１６の直立板部１６ｂの幅より大きいものとすることができる。この他の例に係る載置部材１８は、その後端部１８ｂがスタンド１６の直立板部１６ｂにその後方において係止し、また、中間部１８ｃを構成する両線条がスタンドの直立板部１６ｂの両側方を通過する。また、両長孔２２に代えて、スタンド１６の直立板部１６ｂの両側方に開放する一対の切欠き（図示せず）とすることができる。この他の例によっても、スタンド１６に対して載置部材１８を揺動可能としまた前後方向へ移動可能とすることができる。あるいは、また、さらに他の例（図示せず）として、スタンド１６の直立板部に１６ｂに２つの長孔２２を設けることに代えて、直立板部１６ｂに中間部１８ｃを構成する前記両線条が挿通される１つの開口を設けることができる。このさらに他の例によれば、前記両線条に代えて、中間部１８ｃの全部又は一部を例えば板体（図示せず）からなるものとすることができる。
【００３９】
次に、図６〜図１１を参照して、本発明の他の実施の形態に係る前出し装置４０について説明する。
【００４０】
この前出し装置４０は、好ましくは、非磁性の陳列棚、例えばプラスチック製の陳列棚１２に適用される。但し、前出し装置４０は、磁性を有する陳列棚に対しても、適用可能である。
【００４１】
前出し装置４０は、前述した前出し装置１０におけると同様に、スタンド１６と、商品の載置部材１８とを備える。但し、非磁性の陳列棚１２に対する適用を考慮して、前出し装置４０は、永久磁石２６（図１）の代わりに、支持部材４２を有する。支持部材４２は陳列棚１２上に配置され陳列棚１２の前後方向へ伸びる。スタンド１６は支持部材４２に支持され、支持部材４２を介して陳列棚１２上に載置される。
【００４２】
図示の支持部材４２は、図７に示すように、矩形状の底板部４２ａと、該底板部上をその周縁に沿って伸びるコ字形の枠部４２ｂ及びＩ形の枠部４２ｃとからなる。Ｉ形の枠部４２ｃはコ字形の枠部４２ｂに取り外し可能に取り付けられ、コ字形の枠部４２ｂと共同して矩形状の枠部を形成する。コ字形の枠部４２ｂは、２つの直線状に伸びる部分４２ｂ１と、両部分４２ｂ１に連なり直線状に伸びる部分４２ｂ２とを有する。
【００４３】
図８に示すように、コ字形の枠部４２ｂにおける２つの部分４２ｂ１に互いに相対する２条の凹溝４４が設けられている。他方、スタンド１６は、その底板部１６ａの両側縁に設けられた２つの突条４６を有する。両突条４６はそれぞれ支持部材４２の両凹溝４４に受け入れられ両溝４４に沿って陳列棚１２の前後方向へ滑動可能である。
【００４４】
支持部材４２は、また、コ字形の枠部４２ｂの部分４２ｂ２に設けられた引掛け部４８を有する。引掛け部４８は全体に鉤形を呈し、陳列棚１２の転び止め１４に引掛けられる。これにより、支持部材４２が陳列棚１２上に滑動しないように載置される。
【００４５】
この前出し装置４０にあっては、スタンド１６の直立板部１６ｂに、一対の長孔２２（図１）に代えて、一対の切欠き５０が設けられている。また、載置部材１８は、全体に矩形状を呈するように折り曲げられた金属製の線材からなり、その後端部１８ｂがコ字形を呈する点において、前出し装置１０における載置部材１８と形状を異にする。この例にあっては、載置部材１８の中間部１８ｃを構成する前記２つの線条が、支持部材４２の外側をその両部分４２ｂ１に沿ってまたこれらに近接して伸びている。載置部材１８の中間部１８ｃを構成する前記２つの線条と支持部材４２の両部分４２ｂ１とは、スタンド１６の両切欠き５０を経て伸び、載置部材１８の後端部１８ｂが、スタンド１６にその後方において係止する。
【００４６】
商品Ｓの前出しは、次のようにして行うことができる。まず、前出し装置１０におけると同様、載置部材１８の前端部１８ａを手指で摘んでこれを持ち上げる。持ち上げは、前端部１８ａが陳列棚１２の転び止め１４を超える高さ位置に達するように行う。これにより、中間部１８ｃを構成する前記２つの線条がそれぞれスタンド１６の両切欠き５０内において揺動し、これにより載置部材１８がスタンド１６に対して揺動し、中間部１８ｃが傾斜した状態におかれる。
【００４７】
次に、前端部１８ａに引張力を及ぼし、載置部材１８を陳列棚１２の前方へ移動させる。その結果、中間部１８ｃが陳列棚１２の転び止め１４の上に乗り上げ、これを横切る（図１０）。載置部材１８の前方移動に伴い、スタンド１６が該スタンドに係止する載置部材の後端部１８ｂを介して前記引張力を受け、支持部材４２上をその前方に向けて滑動する。このとき、スタンド１６と共に、中間部１８ｃ上の商品Ｓが転び止め１４に向けて移動する。これにより、商品の前出しが行われる。
【００４８】
前記商品の前出しを終了した後は、スタンド１６に対して、前端部１８ａを介して中間部１８ｃを陳列棚１２の後部１２ｂに向けて移動させる。その結果、転び止め１４上に乗り上げた状態にあった中間部１８ｃが陳列棚１２上に移る（図５）。また、スタンド１６を載置部材１８に対して相対的に、前記磁気吸着力に抗して、陳列棚１２の後部１２ｂに向けて滑動させることにより、スタンド１６の移動により生じた空間、すなわち中間部１８ｃの上方空間に新たな複数の商品Ｓを補充することができる。
【００４９】
前出し装置４０も、また、載置部材１８の中間部１８ｃ上の商品Ｓに対する他の転び止め２４を備えるものとすることができる。他の転び止め２４は、引掛け部４８と一体に形成された板状体からなり、陳列棚１２上においてスタンド１６に相対している。他の転び止め２４には、前述した前出し装置１０におけると同様に、互いに間隔をおいて、一対の長孔２８が設けられている。両長孔２８は上下方向に伸びている。この他の転び止め２４を備える例にあっては、商品載置部材１８の中間部１８ｃを構成する前記２つの線条がそれぞれ両長孔２８を経て伸びている。両長孔２８はスタンド１６に対する載置部材１８の前記揺動及び前後方向移動を許す。
【００５０】
スタンド１６の両切欠き５０及び他の転び止め４８の両長孔２８は、それぞれ、前記両線条の陳列棚１２の前後方向への移動を許し、また、両切欠き５０は前記両線条の揺動を許し、また、両長孔２８はこれらの長手方向への前記両線条の移動を許す。両長孔２８は、前記両線条の両長孔２８の長手方向への移動により、載置部材１８がスタンド１６に対して揺動し、該揺動に伴なって中間部１８ｃが傾斜し、転び止め１４上への乗り上げることを可能とする長さ寸法を有する。
【００５１】
前出し装置４０は、また、一対の商品の仕切り板３０を備えるものとすることができる。
【００５２】
前出し装置４０の載置部材１８を構成する前記線材は、図示の例に代わる他の例（図示せず）として、その両端部（後端部１８ｂ）が互いに他の一方に向けて折り曲げられ、また、両線条の相互間隔がスタンド１６の直立板部１６ｂの幅より大きいものとすることができる。この他の例に係る載置部材１８は、その後端部１８ｂがスタンド１６の直立板部１６ｂにその後方において係止し、また、中間部１８ｃを構成する両線条がスタンドの直立板部１６ｂの両側方を通過するものとすることができる。
【符号の説明】
【００５３】
１０、４０  前出し装置。
１２  陳列棚
１４  転び止め
１６  スタンド
１８  商品の載置部材
２０、２６  永久磁石
２２  長孔
２４  他の転び止め
３０  仕切り板
４２  支持部材
４８  引掛け部
５０  切欠き
【図１】
2020127622.tif 000003
【図２】
2020127622.tif 000004
【図３】
2020127622.tif 000005
【図４】
2020127622.tif 000006
【図５】
2020127622.tif 000007
【図６】
2020127622.tif 000008
【図７】
2020127622.tif 000009
【図８】
2020127622.tif 000010
【図９】
2020127622.tif 000011
【図１０】
2020127622.tif 000012
【図１１】
2020127622.tif 000013